(57)【要約】【課題】タグを持った人が対象領域に存在すると誤検知されることを防止する。【解決手段】存在が検知された特定人が屋外から屋内へ進入（移動）すると、第１の人感センサ３から人体検出信号が出力された後に第２の人感センサ４からも人体検出信号が出力される。故に、リーダ／ライタ２の制御部２２では当該特定人が屋外から屋内へ入る向き（対象領域内から対象領域外へ出る向き）に移動したと判定することができ、当該特定人が携帯するタグ１の識別符号（ＩＤ）に対して応答信号の返信要求不可をメモリ部２３に設定する。したがって、当該タグ１が屋内（対象領域外）に在る限りはリーダ／ライタ２から質問信号を受信しても応答信号を返信しないので、リーダ／ライタ２の制御部２２が、屋内（対象領域外）に在るタグ１からの応答信号を受信して特定人が屋外（対象領域内）に居ると誤検知することを防止できる。【選択図】        図１
2011108037.tif 000002
【特許請求の範囲】
【請求項１】
質問信号を送信するリーダ／ライタと、固有の識別情報を有し、前記質問信号を受信したときに当該識別情報を含む応答信号を送信するタグとからなり、タグから送信される応答信号をリーダ／ライタで受信し、当該応答信号に含まれる識別情報に基づいて当該タグを携帯する人が対象領域に存在するか否かを検知するタグシステムにおいて、
質問信号の受信可能範囲内における人の移動方向のうち、対象領域外から対象領域内に入る向きと対象領域内から対象領域外に出る向きとを検出する移動方向検出手段を備え、
リーダ／ライタは、対象領域に存在することを検知した人が対象領域内から対象領域外に出る向きに移動したことを移動方向検出手段が検出した場合、当該人が携帯するタグの識別情報を検知対象外の識別情報として記憶するとともに、当該検知対象外の識別情報を有するタグに対しては質問信号に対する応答信号の返信を要求せず、さらに、移動方向検出手段が対象領域外から対象領域内に入る向きへの移動を検出した人が携帯するタグの識別情報を前記検知対象外の識別情報から検知対象の識別情報に復帰させることを特徴とするタグシステム。
【請求項２】
質問信号を送信するリーダ／ライタと、固有の識別情報を有し、前記質問信号を受信したときに当該識別情報を含む応答信号を送信するタグと、電気錠を解錠及び施錠する電気錠制御装置とを備え、タグから送信される応答信号をリーダ／ライタで受信し、当該応答信号に含まれる識別情報に基づいて当該タグを携帯する人が対象領域に存在するか否かを検知し、対象領域内の前記人の存在が検知されたときに電気錠制御装置が電気錠を解錠又は施錠する電気錠システムにおいて、
質問信号の受信可能範囲内における人の移動方向のうち、対象領域外から対象領域内に入る向きと対象領域内から対象領域外に出る向きとを検出する移動方向検出手段を備え、
リーダ／ライタは、対象領域に存在することを検知した人が対象領域内から対象領域外に出る向きに移動したことを移動方向検出手段が検出した場合、当該人が携帯するタグの識別情報を検知対象外の識別情報として記憶するとともに、当該検知対象外の識別情報を有するタグに対しては質問信号に対する応答信号の返信を要求せず、さらに、移動方向検出手段が対象領域外から対象領域内に入る向きへの移動を検出した人が携帯するタグの識別情報を前記検知対象外の識別情報から検知対象の識別情報に復帰させることを特徴とする電気錠システム。
【発明の詳細な説明】
【技術分野】
【０００１】
本発明は、リーダ／ライタとタグとからなるタグシステム並びに当該タグシステムを利用した電気錠システムに関するものである。
【背景技術】
【０００２】
従来、リーダ／ライタ（質問器）とタグ（ＩＤタグ、あるいはデータキャリア若しくは応答器とも呼ばれる）とからなるタグシステムが種々の分野で利用されている。
【０００３】
例えば、特許文献１にはタグシステムを利用した電気錠システムが記載されている。この種の電気錠システムでは、タグを持った人がリーダ／ライタの通信エリア内に入ると、リーダ／ライタが人の持つタグとの間で無線通信を行うことによってこのタグから識別情報を取得し、取得した識別情報が予め登録されている識別情報に一致すれば、電気錠を解錠するようになっているが、通信エリアを通る人が入室しようとしているのか、それとも退出しようとしているのかを判別できないため、人の移動方向に応じて電気錠の施錠又は解錠を切り替えることができず、これから退出しようとする人がリーダ／ライタの通信エリア内を通ったために、電気錠が解錠されてしまう可能性もあった。
【０００４】
これに対して特許文献１に記載されている従来例では、リーダ／ライタが２つのＬＦ送信部を備え、各々のＬＦ送信部が、扉の外側にある通路の進行方向に沿って互いの通信エリアが重複しないように配置され、自己のＩＤ番号を含む質問信号を送信し、タグでは、ＬＦ受信部が所定時間内に互いにＩＤ番号の異なる質問信号を複数受信した場合のみ、受信した全てのＩＤ番号およびＩＤ番号の受信順序を示す情報を自己の識別情報と共にＲＦ送信部１から応答信号として送信させることにより、タグを持った人が入室しようとしているのか、退出しようとしているかを判別して入室と判別したときにのみ扉の電気錠を解錠させるようにしている。
【先行技術文献】
【特許文献】
【０００５】
【特許文献１】特開２００６−３５０８６１号公報
【発明の概要】
【発明が解決しようとする課題】
【０００６】
しかしながら、特許文献１に記載されている従来例では、出入口に設置されたリーダ／ライタの通信エリア内でタグを持った人が室内を移動した場合、リーダ／ライタからの質問信号を受信した当該タグが応答信号を返信してリーダ／ライタに受信されると電気錠が不用意に解錠されてしまう虞があった。つまり、本来ならタグの存在を検知する検知エリアにしたくない室内にもリーダ／ライタの送信する電波が到達するために当該室内が検知エリアに含まれてしまい、その結果、タグを持った人が対象領域（室外）に存在すると誤検知されてしまうという問題が生じる。
【０００７】
本発明は上記事情に鑑みて為されたものであり、その目的は、タグを持った人が対象領域に存在すると誤検知されることを防止したタグシステム並びに電気錠システムを提供することにある。
【課題を解決するための手段】
【０００８】
請求項１の発明は、上記目的を達成するために、質問信号を送信するリーダ／ライタと、固有の識別情報を有し、前記質問信号を受信したときに当該識別情報を含む応答信号を送信するタグとからなり、タグから送信される応答信号をリーダ／ライタで受信し、当該応答信号に含まれる識別情報に基づいて当該タグを携帯する人が対象領域に存在するか否かを検知するタグシステムにおいて、質問信号の受信可能範囲内における人の移動方向のうち、対象領域外から対象領域内に入る向きと対象領域内から対象領域外に出る向きとを検出する移動方向検出手段を備え、リーダ／ライタは、対象領域に存在することを検知した人が対象領域内から対象領域外に出る向きに移動したことを移動方向検出手段が検出した場合、当該人が携帯するタグの識別情報を検知対象外の識別情報として記憶するとともに、当該検知対象外の識別情報を有するタグに対しては質問信号に対する応答信号の返信を要求せず、さらに、移動方向検出手段が対象領域外から対象領域内に入る向きへの移動を検出した人が携帯するタグの識別情報を前記検知対象外の識別情報から検知対象の識別情報に復帰させることを特徴とする。
【０００９】
請求項１の発明によれば、対象領域内で存在を検知された人が対象領域外へ出た場合、当該人が携帯するタグが質問信号を受信しても応答信号を返信しないので、タグを持った人が対象領域に存在すると誤検知されることを防止できる。
【００１０】
請求項２の発明は、上記目的を達成するために、質問信号を送信するリーダ／ライタと、固有の識別情報を有し、前記質問信号を受信したときに当該識別情報を含む応答信号を送信するタグと、電気錠を解錠及び施錠する電気錠制御装置とを備え、タグから送信される応答信号をリーダ／ライタで受信し、当該応答信号に含まれる識別情報に基づいて当該タグを携帯する人が対象領域に存在するか否かを検知し、対象領域内の前記人の存在が検知されたときに電気錠制御装置が電気錠を解錠又は施錠する電気錠システムにおいて、質問信号の受信可能範囲内における人の移動方向のうち、対象領域外から対象領域内に入る向きと対象領域内から対象領域外に出る向きとを検出する移動方向検出手段を備え、リーダ／ライタは、対象領域に存在することを検知した人が対象領域内から対象領域外に出る向きに移動したことを移動方向検出手段が検出した場合、当該人が携帯するタグの識別情報を検知対象外の識別情報として記憶するとともに、当該検知対象外の識別情報を有するタグに対しては質問信号に対する応答信号の返信を要求せず、さらに、移動方向検出手段が対象領域外から対象領域内に入る向きへの移動を検出した人が携帯するタグの識別情報を前記検知対象外の識別情報から検知対象の識別情報に復帰させることを特徴とする。
【００１１】
請求項２の発明によれば、対象領域内で存在を検知された人が対象領域外へ出た場合、当該人が携帯するタグが質問信号を受信しても応答信号を返信しないので、タグを持った人が対象領域に存在すると誤検知されることを防止でき、その結果、電気錠が不用意に施錠あるいは解錠されることがない。
【発明の効果】
【００１２】
本発明によれば、タグを持った人が対象領域に存在すると誤検知されることを防止できる。
【図面の簡単な説明】
【００１３】
【図１】本発明の実施形態を示すシステム構成図である。
【図２】同上の動作説明図である。
【図３】同上におけるリーダ／ライタの動作説明用のフローチャートである。
【発明を実施するための形態】
【００１４】
以下、建物の外（屋外）の出入口周辺を対象領域とし、対象領域内にタグを持った人（以下、特定人と呼ぶ。）の存在が検知されたときに電気錠を解錠する電気錠システムに本発明の技術思想を適用した実施形態について説明する。但し、本発明に係るタグシステムは電気錠システム以外のシステム、例えば、セキュリティシステムなどにも利用可能である。
【００１５】
図２に示すように、建物の出入口の扉Ｄの外側（屋外）にリーダ／ライタ２並びに第１の人感センサ３が設置され、出入口の扉Ｄの内側（屋内）に第２の人感センサ４が設置されている。ここで、図２における破線の円はリーダ／ライタ２から送信される質問信号の受信可能範囲Ｓを表しており、タグ１が受信可能範囲Ｓに在れば質問信号を受信することができる。また、出入口の扉Ｄには電気錠（図示せず）が設けられ、電気錠制御装置５によって当該電気錠の施錠及び解錠が行われる。尚、このような電気錠並びに電気錠制御装置５については従来周知であるから詳細な構成についての図示並びに説明は省略する。
【００１６】
タグ１は、図１に示すように電波（例えば、ＵＨＦ帯の電波）を送信並びに受信するためのアンテナ１０及びＲＦ回路部１１と、ＲＦ回路部１１を制御する制御部１２と、ＲＦ回路部１１並びに制御部１２に電源を供給する電池１３とを具備している。尚、制御部１２は固有の識別符号（ＩＤ）を内蔵メモリ（図示しない）に記憶している。
【００１７】
リーダ／ライタ２は、図１に示すように電波（例えば、ＵＨＦ帯の電波）を送信並びに受信するためのアンテナ２０及びＲＦ回路部２１と、ＲＦ回路部２１を制御する制御部２２と、電気的に書換可能な不揮発性の半導体メモリからなるメモリ部２３と、各部に電源を供給する電源部２４とを具備している。メモリ部２３には、タグ１に割り当てられている識別符号（ＩＤ）と特定人との対応関係が記憶されている。この対応関係は、１乃至複数の特定人に個別に割り当てられる識別コードと、それぞれの特定人が携帯するタグ１の識別符号（ＩＤ）とを一対一に対応付けたものである。尚、電源部２４は電池であってもよいし、商用交流電源から供給される交流電源を直流電源に変換する電源回路であってもよい。
【００１８】
後述するように、メモリ部２３にはタグ１の識別符号（ＩＤ）毎に応答信号の返信要求の可否が記憶されており、応答信号の返信を要求しないように設定されている識別符号が質問信号に含まれている。そして、タグ１の制御部１２では、質問信号に含まれる識別符号が自らの識別符号に一致するときは応答信号を返信せず、質問信号に含まれる識別符号が自らの識別符号に一致しないときにのみ、応答信号を返信する。
【００１９】
第１及び第２の人感センサ３，４は人体から放射される熱線を焦電素子で検出することによって人体の存在を検出するパッシブ形のセンサであって、リーダ／ライタ２の電源部２４から電源供給を受けるとともに、人体の検出結果（人体検出信号）をリーダ／ライタ２の制御部２２に出力している（図１参照）。但し、人感センサ３，４は焦電形素子を用いたパッシブ形のものに限定されず、例えば、超音波式のアクティブ形のものなどであっても構わない。
【００２０】
リーダ／ライタ２の制御部２２は、第１および第２の人感センサ３，４から人体検出信号を所定時間（例えば、数十秒間）内に連続して受け取った場合にその順番に基づいて、タグ１を携帯した特定人の移動方向を検出（判定）している。具体的には、第１の人感センサ３から人体検出信号を受け取ってから所定時間内に第２の人感センサ４から人体検出信号を受け取ったときは、入室しようとする特定人が屋外から屋内に入る向き（対象領域内から対象領域外へ出る向き）に移動したと判定し（図２の上向きの矢印参照）、反対に第２の人感センサ４から人体検出信号を受け取ってから所定時間内に第１の人感センサ３から人体検出信号を受け取ったときは、退出しようとする特定人が屋内から屋外へ出る向き（対象領域外から対象領域内へ入る向き）に移動したと判定している（図２の下向きの矢印参照）。
【００２１】
そしてリーダ／ライタ２の制御部２２は、特定人が屋外から屋内に入る向き（対象領域内から対象領域外へ出る向き）に移動したと判定した場合は当該特定人が持っているタグ１の識別符号（ＩＤ）に対する応答信号の返信を要求しないように設定し、反対に、特定人が屋内から屋外へ出る向き（対象領域外から対象領域内へ入る向き）に移動したと判定した場合は当該特定人が持っているタグ１の識別符号（ＩＤ）に対する応答信号の返信を要求するように設定する。
【００２２】
図３はリーダ／ライタ２の制御部２２が行う処理のフローチャートである。以下、図３のフローチャートを参照しながら本実施形態の動作を説明する。
【００２３】
まず、タグ１を携帯した特定人が屋外から屋内に進入する場合を想定する。出入口に設置されているリーダ／ライタ２では、ＲＦ回路部２１から質問信号を送信し（ステップＳ１）、屋外（対象領域内）に居る特定人が携帯するタグ１から返信される応答信号をＲＦ回路部２１で受信する（ステップＳ２）。リーダ／ライタ２の制御部２２は、ＲＦ回路部２１で受信した応答信号に含まれている識別符号をメモリ部２３に記憶している識別符号と照合し、当該識別符号と対応付けられている特定人の識別コードを取得する。このように制御部２２が特定人の識別コードを取得することによって対象領域内にタグ１を携帯した特定人の存在を検知したことになる。そして、対象領域内（屋外）に特定人の存在を検知したリーダ／ライタ２の制御部２２から電気錠制御装置５に検知信号が出力され、当該検知信号を受け取った電気錠制御装置５が電気錠を解錠するのである。
【００２４】
このとき、存在が検知された特定人が屋外から屋内へ進入（移動）すると、第１の人感センサ３から人体検出信号が出力された後に第２の人感センサ４からも人体検出信号が出力されるので（ステップＳ３，Ｓ４）、リーダ／ライタ２の制御部２２では当該特定人が屋外から屋内へ入る向き（対象領域内から対象領域外へ出る向き）に移動したと判定することができ、当該特定人が携帯するタグ１の識別符号（ＩＤ）に対して応答信号の返信要求不可をメモリ部２３に設定する（ステップＳ５）。したがって、当該タグ１が屋内（対象領域外）に在る限りはリーダ／ライタ２から質問信号を受信しても応答信号を返信しないので、リーダ／ライタ２の制御部２２が、屋内（対象領域外）に在るタグ１からの応答信号を受信して特定人が屋外（対象領域内）に居ると誤検知することを防止できるものである。
【００２５】
次に、タグ１を携帯した特定人が屋内から屋外に移動する場合を想定する。リーダ／ライタ２の制御部２２では、第２の人感センサ４から人体検出信号が出力された後に第１の人感センサ３からも人体検出信号が出力されると（ステップＳ６，Ｓ７）、特定人が屋内から屋外へ出る向き（対象領域外から対象領域内へ入る向き）に移動したと判定し、ＲＦ回路部２１より質問信号を送信させる（ステップＳ８）。このとき、制御部２２ではメモリ部２３に返信要求不可と設定されている識別符号（ＩＤ）を質問信号に含めない。故に、屋内から屋外へ移動した特定人が携帯するタグ１は、質問信号を受信して応答信号を返信する。
【００２６】
リーダ／ライタ２の制御部２２は、タグ１から返信された応答信号を受信すると（ステップＳ９）、当該応答信号に含まれている識別符号（ＩＤ）に対して応答信号の返信要求可をメモリ部２３に設定する（ステップＳ１０）。したがって、当該タグ１を携帯した特定人が屋外から屋内（対象領域内から対象領域外）へ移動する場合、ステップＳ１〜Ｓ５の処理が行われ、当該タグ１の識別符号（ＩＤ）に対して応答信号の返信要求不可が設定されることになる。
【符号の説明】
【００２７】
１  タグ
２  リーダ／ライタ
３  第１の人感センサ
４  第２の人感センサ
５  電気錠制御装置
１０  アンテナ
１１  ＲＦ回路部
１２  制御部
２０  アンテナ
２１  ＲＦ回路部
２２  制御部
２３  メモリ部
【図１】
2011108037.tif 000003
【図２】
2011108037.tif 000004
【図３】
2011108037.tif 000005